(57)【要約】【課題】  壁パネル等の浴室内の備品を傷付けることがなく、また、浴室スペース内で設置することにより施工後のデッドスペースを小さくすることができる天井パネル及びその施工方法を提供することにある。【解決手段】  天井パネル本体２の側周縁近傍に設置されるとともに、ユニットルーム設置空間の側壁面１２ａに対して弾性力の付与及び解除を自在に行なうことにより、前記側壁面に対して着脱自在な仮止め支持具３を有して、仮止めした際の側壁面１２ａに付勢される弾性力が、仮止め支持具３及び天井パネル本体２の側周縁と側壁面との接触する部分の最大静止摩擦力よりも大きいものであることを特徴とする天井パネル。【選択図】  図２
2005307653.tif 000002
【特許請求の範囲】
【請求項１】
天井パネル本体の側周縁近傍に設置されるとともに、ユニットルーム設置空間の側壁面に対して弾性力的に接し、またこれを解除することにより、前記側壁面に対して着脱自在な仮止め支持具を有して、
仮止めした際の前記側壁面に付勢される弾性力が、前記仮止め支持具と前記側壁面との接触する部分の最大静止摩擦力よりも大きいものであることを特徴とする天井パネル。
【請求項２】
前記仮止め支持具は、略全体が外方に突出するよう一端が天井パネル本体に固定され、内方に向かって弾性変形可能に構成されるものであることを特徴とする請求項１に記載の天井パネル。
【請求項３】
前記仮止め支持具は、屈曲部が外方に突出する断面略Ｖ字状の板材からなるものであることを特徴とする請求項２に記載の天井パネル。
【請求項４】
ユニットルームにおける壁面パネル間の天井パネルの最終設置位置よりも高い所定の位置に、天井パネルとユニットルーム設置空間の側壁面間に弾性体を介在させて仮止めした状態で壁パネルを組み立て、その後天井パネルの仮止めを解除して最終設置位置に固定することを特徴とする天井パネルの施工方法。
【発明の詳細な説明】
【技術分野】
【０００１】
本発明は、天井パネルその施工方法に関するものであり、より詳細には、ユニットバス等のユニットルームに設置される天井パネル及びその施工方法に関するものである。
【背景技術】
【０００２】
従来のユニットルームに設置される天井パネルとしては、図４に示すような、壁パネル２２の上端面の所要箇所に、上面が開放されていると共に、開放上端付近の内面側に凹条２５ａを形成したＵ型の嵌入具２５を取付け、この嵌入具２５の取付け箇所に対応する天井パネル２３の周縁箇所に、嵌入具２５の開放上端内に先端部２７ａが嵌入すると共に、先端部２７ａの根元に嵌入具２５の凹条２５ａに係入する突出部２７ｂが形成されている逆Ｕ型の挿入具２７を取付け、挿入具２７を嵌入具２５に挿着して、壁パネル２２の上端に天井パネル２３を取付けるようにしたものが知られている。
【０００３】
このような天井パネルにあっては、壁パネル２２の上端面に嵌入具２７を、この嵌入具２７に対応する位置の天井パネル２３に挿入具２５を取付けておくことによって、天井パネル２３を壁パネル２２に向かって押し下げて両者を固定できる。従って、天井パネル２３の設置後に天井パネル２３や壁パネル２２に対するビス止め作業が不要となり、特に建築物の天井とユニットルームの天井パネル２３との間隔が狭い場合にビス止め作業が不要であるため、構築作業を簡単に行うことができる（特許文献１）。
【０００４】
しかし、従来の施工方法では、まず壁パネル２２を設置してから天井パネル２３を設置する必要があり、その際、天井パネル２３によって壁パネル２２等の浴室内の備品を傷付けることを防止するため、施工スペースの外周部を設置スペースとして、外方から天井パネル２３の設置を行なわなければならない。この設置スペースは施工後にデッドスペースとなる場合が多く、また、浴槽スペースを大きくする程このデッドスペースは大きくなるという問題点があった。
【０００５】
また、リフォーム等、予め設定された一定のスペース内で浴室スペースを大きくしようとする場合には、その分だけ設置スペースが小さくなって施工が困難となったり、天井パネル２３を複数枚に分割した形で設置しなければならない場合が生じて、その複数枚を個々に取り付けるため、施工性が損なわれるという問題を有していた（特許文献１）。
【特許文献１】特開平０８−０９３１２６号公報
【発明の開示】
【発明が解決しようとする課題】
【０００６】
本発明は、このような点に鑑みてなされたものであり、その目的とするところは、壁パネル等の浴室内の備品を傷付けることがなく、また、浴室スペース内で設置することにより施工後のデッドスペースを小さくすることができる天井パネル及びその施工方法を提供することである。
【課題を解決するための手段】
【０００７】
上記した課題を解決するために、本発明の請求項１に係る天井パネルは、天井パネル本体の側周縁近傍に設置されるとともに、ユニットルーム設置空間の側壁面に対して弾性力的に接し、またこれを解除することにより、前記側壁面に対して着脱自在な仮止め支持具を有して、仮止めした際の前記側壁面に付勢される弾性力が、前記仮止め支持具と前記側壁面との接触する部分の最大静止摩擦力よりも大きいものであることを特徴とする。
【０００８】
本発明の請求項２に係る天井パネルは、前記仮止め支持具が、略全体が外方に突出するよう一端が天井パネル本体に固定され、内方に向かって弾性変形可能に構成されるものであることを特徴とする。
【０００９】
本発明の請求項３に係る天井パネルは、前記仮止め支持具が、屈曲部が外方に突出する断面略Ｖ字状の板材からなるものであることを特徴とする。
【００１０】
本発明の請求項４に係る天井パネルの施工方法は、ユニットルームにおける壁面パネル間の天井パネルの最終設置位置よりも高い所定の位置に、天井パネルとユニットルーム設置空間の側壁面間に弾性体を介在させて仮止めした状態で壁パネルを組み立て、その後天井パネルの仮止めを解除して最終設置位置に固定することを特徴とする。
【発明の効果】
【００１１】
本発明の請求項１に係る天井パネルによると、ユニットルーム設置空間の側壁面に対して弾性力の付与及び解除を自在に行なうことにより、前記側壁面に対して着脱自在な仮止め支持具を有して、仮止めした際の前記側壁面に付勢される弾性力が、前記仮止め支持具及び前記天井パネル本体の側周縁と側壁面との接触する部分の最大静止摩擦力よりも大きいものであるので、側壁面に対して下方にずれおちることなく仮止め設置・解除をおこなうことができる。そのため、側壁面に天井パネルを仮止めした状態で壁パネルを設置した後に、仮止めを解除して最終設置場所に設置することができる。その結果、壁パネル等の浴室内の備品を傷付けることなくスムーズな施工を行なうことができるとともに、浴室スペース内で施工できるので、施工後のデッドスペースを小さくすることができる。
【００１２】
本発明の請求項２に係る天井パネルによると、請求項２に記載の効果に加えて、前記仮止め支持具は、外方に突出するよう一端が天井パネル本体に固定され、内方に向かって弾性変形可能に構成されるものであるので、押圧力もしくは引張力を加えることにより、容易に内方に向かって弾性変形させて側壁面に付勢する弾性力を解除することができ、また、負荷した押圧力や引張力を解除することにより、元の形状に容易に復元して側壁面に弾性力を付勢することができる。
【００１３】
本発明の請求項３に係る天井パネルによると、請求項２に記載の効果に加えて、前記仮止め支持具は、屈曲部が外方に突出する断面略Ｖ字状の板材からなるものであるので、極めて簡単な構成で仮止め支持具を得ることができ、また、Ｖ字状先端の突出の程度を変えることにより、所望の弾性力を容易に付勢することができる。さらに、自由端部近傍を摘んで内方に弾性変形させやすく、施工性が良好となる。
【００１４】
本発明の請求項４に係る天井パネルの施工方法によると、ユニットルームにおける天井パネルの最終設置位置よりも高い所定の位置に、天井パネルと側壁面間に弾性体を介在させて仮止めした状態で壁パネルを組み立て、その後天井パネルの仮止めを解除して最終設置位置に固定するものであるので、外方から天井パネルの設置を行なわなくてもよく、施工後のデッドスペースが小さくなる上に、壁パネル等の浴室内の備品を傷付けることなくスムーズな施工を行なうことができる。また、天井パネルを複数枚に分割することなく設置することができ、施工性が向上する。
【００１５】
本発明の請求項５に係る天井パネルの施工方法によると、前記天井パネルは、ユニットルーム設置空間の側壁面に対して弾性力の付与及び解除を自在に行なうことができる仮止め支持具を有して前記側壁面に対して着脱自在であって、前記仮止め支持具により側壁面に弾性力を付勢させて、最終設置位置よりも高い所定の位置に仮止めした後、壁パネルを組み立て、その後天井パネルの仮止めを解除して最終設置位置に固定するものであるので、外方から天井パネルの設置を行なわなくてもよく、施工後のデッドスペースが小さくなる上に、壁パネル等の浴室内の備品を傷付けることなくスムーズな施工を行なうことができる。また、天井パネルを複数枚に分割することなく設置することができ、施工性が向上する。さらに、この仮止め支持具は、天井パネルに具備されているので、弾性力の付与及び解除をスムーズに行なうことができ、施工性が一層向上する。
【発明を実施するための最良の形態】
【００１６】
本発明の実施形態を図１乃至図３に基づいて説明する。図１乃至図３において、１は天井パネル、２は天井パネル本体、２ａは周縁部、３は仮止め支持具、４は当接部、４ａは固定用孔、５はＶ字状部、５ａは挿通孔、５ｂは自由端、５ｃは屈曲部、６は壁パネル、７は床部、１０は係止具、１０ａはカサ部、１１はコンクリート基礎部、１２は側壁、１２ａは内側の側壁面、１３は天井、Ｂは浴槽、Ｄは排水機構、Ｆは最終設置高さ、Ｔは仮止め設置高さである。
【００１７】
図１は、本実施形態における天井パネル１がシステムバスの側壁面１２ａに設置されたときの概略を示す（ａ）天井１３の直下から見たときの上面図及び（ｂ）側面図である。同図（ｂ）に示すように、本実施形態におけるシステムバスは、略正方形の底面及びこの底面から立設される側周面とからなるコンクリート基礎部１１と、コンクリート基礎部１１の側周面上に設置される側壁１２（相対向する壁面間の距離がＷ１に形成されている。）と、天井１３とから形成されるユニットルーム設置空間内に施工される。システムバスの略矩形の床部７の所定位置には浴槽Ｂや排水機構Ｄ等が設置され、この床部７の四周から略矩形の壁パネル６が立設して四囲され、壁パネル６上端が天井パネル１で閉塞されて浴室空間が形成される。壁パネル６には、湯水混合水洗やシャワー、照明器具等が設置される。
【００１８】
天井パネル１は、同図（ａ）に示すように、天井パネル本体２と、天井パネル本体２の周縁部近傍の所定位置に一端が固定されて、外方に突出するように設置される仮止め支持具３とから構成される。
【００１９】
天井パネル本体２は、一辺の長さがＷ２の上面視略正方形の平板状部材であって、壁パネル６の４つの上端を閉塞できるよう、４つの壁パネル６の形成する略矩形の上端部の開口形状よりもやや大きくなるように形成されている。この天井パネル２の周縁部２ａは段差が形成されて厚みが大きくなっている。
【００２０】
図２は仮止め支持具３の概略を示す（ａ）正面図、及び（ｂ）縦断面図であり、図３は仮止め支持具３を周縁部近傍に取付けた天井パネル本体２の概略を示す縦断面図である。
【００２１】
図２（ｂ）に示すように、仮止め支持具３はバネ材等の弾性材料からなる厚さｔの金属製平板を屈曲部５ｃで折り曲げて形成された断面略Ｖ字状のＶ字状部５からなり、このＶ字状部５の延出された一端側は鋭角に屈曲されて、当接部４が形成され、他端側は自由端５ｂとなっている。
【００２２】
当接部４の所定の部位には、略円形の貫通孔である固定用孔４ａが設けられており、図３に示すように、この固定用孔４ａにネジ等の係止具１０を挿通させて、当接部４を天井パネル本体２の周縁部２ａに、屈曲部５ｃが外方に突出するように固定設置させる。仮止め支持具３に何らの負荷も付与しなければ、当接部４から屈曲部５ｃまでの距離はＤ２であり、この状態で自由端５ｂ近傍を摘んで内方に引張力を付与すると、Ｖ字状部５は弾性変形して屈曲部５ｃも内側に移動し、引張力の付与を開放すると元の形状に復帰する。
【００２３】
側壁１２の相対向する側壁面１２ａ間の距離Ｗ１、天井パネル本体２の一辺の長さＷ２、当接部４の厚さｔは予め定まっているため、周縁部２ａの端面から側壁１２の内壁面までの距離Ｄ１はＤ１＝（Ｗ１−Ｗ２−２ｔ）／２と算出され、当接部４から屈曲部５ｃまでの距離Ｄ２は、このＤ１よりも大きく、かつ、仮止め支持具３を側壁１２に仮止めした際に、屈曲部５ｃにより側壁面１２ａに付勢される弾性力が、仮止め支持具３と側壁面１２ａとの接触する部分（屈曲部５ｃ）との最大静止摩擦力よりも大きくなるような距離に設定されている。この距離は、事前に側壁面１２ａの表面状態やＶ字状部５の縦弾性係数等両者の諸物性を用いて、実験的にもしくはシミュレーションにより一定の安全率を考慮した上で設定される。
【００２４】
また、Ｖ字状部５が当接部４に接近する方向（内側方向）に大きく引っ張ると、係止具１０のカサ部１０ａと接触してそれ以上引っ張ることができずに仮止めの施工がスムーズに行なえない場合が生じ得る。そのため、図２に示すように、大きく引っ張るとカサ部１０ａと接触しそうなＶ字状部の所定位置には、外径がカサ部１０ａよりも大きい略円形の挿通孔５ａが形成されている。この挿通孔５ａを設けることにより、カサ部１０ａに邪魔されること無く、Ｖ字状部５を最大限に引張ることができ、側壁面１２ａとのクリアランスがより大きくとれるので、よりスムーズに仮止めの施工を行なうことができる。
【００２５】
以下、本実施形態における天井パネルの施工方法について述べる。まず、側壁パネル６が床部７から立設される前に、Ｖ字状部５の自由端５ｂに内方に引張力を付与し、当接部４から屈曲部５ｃまでの距離をＤ２よりも小さくした状態で仮止め支持具３を上方に持ち上げる。そして、組立て時の設置位置である最終設置高さＦと天井１３の間に設定した仮止め設置高さＴまで到達すれば、Ｖ字状部５の自由端５ｂの引張力を開放する。このとき、Ｖ字状部５は元の形状に復帰しようとするが、当接部４から屈曲部５ｃまでの距離Ｄ２が周縁部２ａの端面から側壁１２の内壁面までの距離をＤ１より小さい為、側壁面１２ａに弾性力が付勢され、仮止め支持具３により天井パネル１がを側壁１２の内側側壁面１２ａに仮止めされる。すなわち、天井パネル本体２と側壁面１２間には弾性体である仮止め支持具３が圧縮された状態で介在されており、屈曲部５ｃの位置を移動させることにより、ユニットルームの側壁１２の側壁面１２ａに対して弾性力の付与及び解除を自在に行なうことができるようになっている。
【００２６】
この状態で、壁パネル６の組立てを行ない、組立てが完了した後に、仮止め支持具３による弾性力の付勢を解除して壁パネル６の高さと略同一である最終設置高さＦまで下ろす。そして、壁パネル６の上端部の開口を閉塞するよう、天井パネル本体２を壁パネル６に設置固定して浴室スペースが形成される。設置固定が終われば、係止具１１を解除して、仮止め支持具３を天井パネル本体２より分離する。
【００２７】
以上のような構成とすることにより、本実施形態に係る天井パネル６は、ユニットルーム設置空間の側壁１２の側壁面１２ａに対して弾性力の付与及び解除を自在に行なうことにより、側壁面１２ａに対して着脱自在な仮止め支持具３を有して、仮止めした際の側壁面１２ａに付勢される弾性力が、仮止め支持具３及び前記天井パネル本体２の側周縁と側壁面との接触する部分の最大静止摩擦力よりも大きいものであるので、側壁面１２ａに対して、下方にずれおちることなく仮止め設置・解除をおこなうことができる。そのため、側壁面１２ａに天井パネル１を仮止めした状態で壁パネル６を設置した後に、仮止めを解除して最終設置場所Ｆに設置することができる。その結果、壁パネル６等の浴室内の備品を傷付けることなくスムーズな施工を行なうことができるとともに、浴室スペース内で設置できるので、施工後のデッドスペースを小さくすることができる。
【００２８】
また、Ｖ字状部５は、外方に突出するよう一端が天井パネル本体２に固定され、内方に向かって弾性変形可能に構成されるものであるので、押圧力もしくは引張力を加えることにより、容易に内方に向かって弾性変形させて側壁面１２ａに付勢する弾性力を解除することができ、また、負荷した押圧力や引張力を解除することにより、元の形状に容易に復元して側壁面１２ａに弾性力を付勢することができる。
【００２９】
さらに、仮止め支持具３は、屈曲部屈曲部５ｃが外方に突出する断面略Ｖ字状の板材からなるものであるので、極めて簡単な構成で仮止め支持具を得ることができ、また、Ｖ字状先端の突出の程度を変えることにより、所望の弾性力を容易に付勢することができ、その上、自由端部近傍を摘んで内方に弾性変形させやすく、施工性が良好となる。
【００３０】
本実施形態に係る天井パネルの施工方法によると、ユニットルームにおける天井パネルの最終設置位置よりも高い所定の位置に、天井パネル１と側壁面１２ａ間に弾性体を介在させて仮止めした状態で壁パネル６を組み立て、その後天井パネル１の仮止めを解除して最終設置位置に固定するものであるので、外方から天井パネル１の設置を行なわなくてもよく、施工後のデッドスペースが小さくなる上に、壁パネル６等の浴室内の備品を傷付けることなくスムーズな施工を行なうことができる。また、天井パネル１を複数枚に分割することなく設置することができ、施工性が向上する。また、仮止め支持具３は、天井パネル２に具備されているので、弾性力の付与及び解除をスムーズに行なうことができ、施工性が一層向上する。
【００３１】
なお、本実施形態においては、仮止め支持具３は、天井パネル本体２の相対向する辺の両方に設置されるものであったが、これに限定されるものではなく、天井パネル本体２のいずれか一辺に設置されるものであってもよい。この場合には、設置されない側の対向する側周縁が側壁１２ａと接触するため、反力となって付勢される仮止めした際の前記側壁面に付勢される弾性力が、この側周縁と側壁面２ａとが接触する部分の最大静止摩擦力よりも大きいものになるよう設定しておく。
【００３２】
また、本実施形態においては、天井パネル１の設置場所はシステムバスであったが、これに限定されるものではなく、その他システムルーム全般に好適に用いることができる。
【図面の簡単な説明】
【００３３】
【図１】本実施形態における天井パネルがシステムバスの側壁面に設置されたときの概略を示す（ａ）天井の直下から見たときの上面図及び（ｂ）側面図である。
【図２】本実施形態における仮止め支持具の概略を示す（ａ）正面図、及び（ｂ）縦断面図である。
【図３】本実施形態における仮止め支持具を周縁部近傍に取付けた天井パネル本体の概略を示す縦断面図である。
【図４】従来例を示す断面図である。
【符号の説明】
【００３４】
２    天井パネル本体
３    仮止め支持具
１２ａ  側壁面
【図１】
2005307653.tif 000003
【図２】
2005307653.tif 000004
【図３】
2005307653.tif 000005
【図４】
2005307653.tif 000006